(57)【要約】  システム（１２０）及び／又は対応する方法は、環境に関連した雰囲気（１３０）に影響を及ぼす特定のパラメータ組（１１０）に対する軽微な変更をもたらし、変更に対するユーザの反応を収集する。ユーザの反応に基づいて、システムは、どのパラメータに対するどの変更が、改良された効果につながるかを学習する。変更・フィードバック・セッションを反復することによって、システムは、特定の環境において所望の雰囲気を達成するうえで最適な設定に達する。好ましくは、変更・フィードバック・セッションは気にならず、例えば、ライトがオンにされる都度、行われ、フィードバックは、ライトがオフにされると、複数スイッチ装置を用いて収集される。ライトが一スイッチを用いてオフにされた場合、フィードバックは正であり、別のスイッチを用いてライトがオフにされた場合、フィードバックは負である。あるいは、システムは、変更・フィードバック・サイクルがより頻繁に行われる高速学習モードに入れることが可能である。
2008535202.tif 000002
【特許請求の範囲】
【請求項１】
環境に雰囲気を与えるシステムであって、
メモリと、
動作可能に前記メモリに結合され、
選択されたパラメータ組を前記メモリから呼び出し、
前記選択されたパラメータ組を修正して、修正パラメータ組を作成し、
雰囲気に影響を及ぼす１つ又は複数の装置を前記修正パラメータ組に基づいて制御し、
前記修正パラメータ組に関連したユーザからフィードバックを取得し、
前記フィードバック及び前記修正パラメータ組に基づいて１つ又は複数のパラメータを前記メモリに選択的に記憶するよう構成されたコントローラとを備えるシステム。
【請求項２】
請求項１記載のシステムであって、
前記雰囲気に影響を及ぼす装置がライトを含むシステム。
【請求項３】
請求項１記載のシステムであって、
前記雰囲気に影響を及ぼす装置が、
オーディオ装置、及び
芳香散布器
のうちの少なくとも一方を含むシステム。
【請求項４】
請求項１乃至３の何れか一項に記載のシステムであって、
前記コントローラは、
時刻、
日付、
曜日、
気象状態、
周囲光の尺度、
占有の尺度、
ユーザの活動、及び
制御入力
のうちの少なくとも１つに基づいて、前記選択されたパラメータ組を呼び出すよう構成されたシステム。
【請求項５】
請求項１乃至４の何れか一項に記載のシステムであって、
前記コントローラは、前記パラメータの１つ又は複数を比較的小量だけ調節することによって、前記選択されたパラメータ組を修正するよう構成されたシステム。
【請求項６】
請求項１乃至５の何れか一項に記載のシステムであって、
前記コントローラは、前記パラメータの１つ又は複数を所定の選択基準に基づいて調節することによって、前記選択されたパラメータ組を修正するよう構成されたシステム。
【請求項７】
請求項１乃至６の何れか一項に記載のシステムであって、
前記コントローラは、
複数のスイッチの１つの起動、
持続時間、
制御入力、及び
前記雰囲気に影響を及ぼす１つ又は複数の装置の外部制御
のうちの少なくとも１つに基づいてユーザからの前記フィードバックを得るよう構成されたシステム。
【請求項８】
請求項１乃至７何れか一項に記載のシステムであって、
ユーザからの前記フィードバックを与え、制御入力を前記コントローラに与えるよう構成された、複数のスイッチを含むフィードバック構成部分を更に含むシステム。
【請求項９】
請求項１乃至８何れか一項に記載のシステムであって、
前記コントローラは、ユーザからの先行フィードバックを処理し、前記選択されたパラメータ組を前記先行フィードバックに基づいて修正するよう構成された学習マシンを含むシステム。
【請求項１０】
請求項９記載のシステムであって、
前記学習マシンは、前記選択されたパラメータ組の選択を、前記先行フィードバックに基づいて容易にするようにも構成されたシステム。
【請求項１１】
請求項９に載のシステムであって、
前記学習マシンは、顕在学習モードを提供するようにも構成され、前記顕在学習モードでは、
前記コントローラは、
修正された複数のパラメータ組を、前記メモリからの前記選択されたパラメータ組に基づいて生成し、
前記雰囲気に影響を及ぼす１つ又は複数の装置を、前記修正された複数の組に基づいて制御し、
前記修正された複数の組に関するユーザからの更なるフィードバックを得るよう構成され、
前記学習マシンは、前記選択されたパラメータ組を前記更なるフィードバックに基づいて修正するよう構成されたシステム。
【請求項１２】
請求項１乃至１１の何れか一項に記載のシステムであって、
前記雰囲気に影響を及ぼす装置は１つ又は複数のライトを含み、
前記コントローラは、前記１つ又は複数のライトを制御して
飽和度、
輝度、
光の分布、及び
色の分布
のうちの１つ又は複数に影響を及ぼすよう構成されたシステム。
【請求項１３】
請求項１乃至１２の何れか一項に記載のシステムであって、
前記雰囲気に影響を及ぼす装置を更に含むシステム。
【請求項１４】
請求項１乃至１３の何れか一項に記載のシステムであって、
前記コントローラは、
前記選択されたパラメータ組を、変更の大きさ及び方向に基づいて修正し、
前記大きさ及び前記方向の少なくとも一方を前記フィードバックに基づいて調節するよう更に構成されたシステム。
【請求項１５】
請求項１乃至１４の何れか一項に記載のシステムであって、
前記システムは、雰囲気を複数の環境に複数のフィードバックに基づいて与えるよう更に構成され、
前記コントローラは、
前記複数の環境における他の環境それぞれにおける、雰囲気に影響を及ぼす１つ又は複数の装置を制御し、
前記複数のフィードバックのうちの他のフィードバックを前記他の環境におけるユーザから取得し、
前記１つ又は複数のパラメータを前記メモリに前記複数のフィードバックに基づいて選択的に記憶するよう更に構成されたシステム。
【請求項１６】
雰囲気に影響を及ぼす好ましいパラメータを求める方法であって、
雰囲気に影響を及ぼす第１のパラメータ組をメモリから呼び出す工程と、
前記第１の組を修正して、雰囲気に影響を及ぼす第２のパラメータ組を供給する工程と、
環境における、雰囲気に影響を及ぼす１つ又は複数の装置を前記第２の組に基づいて制御する工程と、
前記環境におけるユーザからフィードバックを得る工程と、
前記雰囲気に影響を及ぼす好ましいパラメータを、前記環境におけるユーザからの前記フィードバックに基づいて求める工程とを備える方法。
【請求項１７】
請求項１６記載の方法であって、
時刻、
日付、
曜日、
気象状態、
周囲光の尺度、
占有の尺度、
ユーザの活動、及び
制御入力
のうちの少なくとも１つに基づいて少なくとも１つの選択要因を求める工程を更に含み、
前記雰囲気に影響を及ぼす第１のパラメータ組は、前記少なくとも１つの選択要因に少なくとも部分的に基づく方法。
【請求項１８】
請求項１６又は１７記載の方法であって、前記フィードバックを得る工程は、
複数のスイッチの１つの起動、
持続時間、
制御入力、及び
前記雰囲気に影響を及ぼす１つ又は複数の装置の外部制御
のうちの少なくとも１つを検出する工程を含む方法。
【請求項１９】
請求項１６乃至１８の何れか一項に記載の方法であって、
フィードバック情報を前記フィードバックに基づいて記憶する工程を更に含み、
前記雰囲気に影響を及ぼす好ましいパラメータは、先行フィードバック情報に更に基づく方法。
【請求項２０】
請求項１６乃至１９の何れか一項に記載の方法であって、
雰囲気に影響を及ぼす複数のパラメータ組を供給する工程と、
前記雰囲気に影響を及ぼす１つ又は複数の装置を、雰囲気に影響を及ぼす複数のパラメータ組に基づいて制御する工程と、
ユーザから更なるフィードバックを得る工程とを更に含み、
前記雰囲気に影響を及ぼす好ましいパラメータを求める工程は、前記更なるフィードバックに更に基づく方法。
【請求項２１】
請求項１６乃至２０の何れか一項に記載の方法であって、
前記雰囲気に影響を及ぼす１つ又は複数の装置は１つ又は複数のライトを含み、
前記雰囲気に影響を及ぼす装置を制御する工程は、前記１つ又は複数のライトを制御して
飽和度、
輝度、
光の分布、及び
色の分布
のうちの１つ又は複数に影響を及ぼす工程を含む方法。
【請求項２２】
処理システム上で実行されると、前記処理システムに、
雰囲気に影響を及ぼす第１のパラメータ組をメモリから呼び出させ、
前記第１の組を修正して、雰囲気に影響を及ぼす第２のパラメータ組を供給させ、
環境における、雰囲気に影響を及ぼす１つ又は複数の装置を前記第２の組に基づいて制御させ、
前記環境におけるユーザからフィードバックを取得させ、
前記雰囲気に影響を及ぼす好ましいパラメータを、前記環境におけるユーザからの前記フィードバックに基づいて求めさせるコンピュータ・プログラム。
【発明の詳細な説明】
【技術分野】
【０００１】
本発明は、照明システムや、雰囲気に影響を及ぼすその他のシステムの分野に関し、特に、ユーザの環境において１つ又は複数のパラメータを修正するにつれてユーザ・フィードバックを得るよう構成され、このフィードバックを用いて、前述のパラメータのその将来の選択を最適化する、雰囲気に影響を及ぼすシステムに関する。
【背景技術】
【０００２】
環境の照明は、環境に関連した雰囲気にかなりの影響を及ぼす。読書に良い環境は通常、明るい。恋愛に良い環境は通常、薄暗く照明を落としている、等である。輝度レベルに加えて、クロマチック・コンテンツも環境の雰囲気に影響を及ぼす。黄色がかった光又は赤がかった光は通常、青がかった光よりも「暖かい」とみなされる。同様に、光の飽和度（白色量）やその他のパラメータ（光の分散の度合いなど）は雰囲気に影響を及ぼす。
【０００３】
内容を本明細書及び特許請求の範囲に援用する、「METHOD  AND  APPARATUS  FOR  CONTROLLING  LIGHTING  BASED  ON  USER  BEHAVIOUR」と題する、Srinivas  Gutta、Antonio  J.  Colmenarez及びMiroslav  Trajkovicによる西暦2004年4月20日付け発行の米国特許第6,724,159号明細書は、ユーザの活動に基づいて照明装置を自動的に調節する照明システム・コントローラを教示している。
【０００４】
内容を本明細書及び特許請求の範囲に援用する、「ILLUMINATION  LIGHT  SUPPLY  SYSTEM」と題する、Kenji  Mukaiによる西暦2002年3月21日付け出願の米国特許出願公開第2002／0176073号明細書は、複数の色を生成する複数の光源と、ユーザが光出力を混光して所望の効果を達成する制御装置とを備える照明システムを教示している。
【０００５】
内容を本明細書及び特許請求の範囲に援用する、「SYSTEMS  AND  METHODS  OF  CONTROLLING  LIGHT  SYSTEMS」と題する、Dowling他による西暦2002年6月13日付け出願の米国特許出願公開第2003／0057887号明細書には、ライト又はライト組それぞれの色及び強度が中央コントローラから無線通信によって制御されるマルチライト・システムが開示されている。制御されている環境のグラフィック表現を用いて、ライト又はライトの組毎に制御パラメータを選択し、割り当てる。前述のパラメータはファイルに格納され、所望の際に「再生される」（すなわち、ファイルから読み出され、ライトに伝達される）。再生は、ユーザによって直接起動させることができるか、又は、規定されたスケジュールによって行われるようプログラムすることができる。
【０００６】
内容を本明細書及び特許請求の範囲に援用する、「INTEGRATED  LIGHT  AND  FRAGRANCE  SYSTEM」と題する、Benedicte  van  Houtert及びStefan  Verbrughによる西暦2004年12月15日付け出願の同時係属中の米国仮特許出願第60／636,365号（代理人整理番号US040572）明細書には、共通の制御システムによって制御される照明システム及び芳香散布システムが開示されている。照明効果及び芳香の好ましい組み合わせを用いて、各システムの制御を連係させるので、照明の調節によって、芳香散布の調節が行われ、逆も同様である。それによって、所望の雰囲気を達成するプロセスが単純化される。
【０００７】
照明システムに関連した種々のパラメータを制御する作業を容易にするうえで進展がみられているが、輝度、クロミナンス、飽和度、カラーバランス等の多変数制御は、少なくともある程度のレベルのノウハウ及び／又は協調を必要とする複雑なプロセスである。
【０００８】
一般に、多変数照明システムは、推奨されたパラメータ組によって予めプログラムされる。前述のパラメータは、「平均的な」環境における「平均的な」個人に対して所望の効果を達成するよう選択される。しかし、前述の予めプログラムされたパラメータ組が全ての個人を対象とする訳でなく、全ての環境を対象とする訳でない。したがって、大半のシステムによって、通常、所定の組を選択し、調節を行い、次いで、結果として生じる組を格納することによって、ユーザが種々のパラメータ組を作成することが可能になる。しかし、各パラメータがもたらす効果間の相互作用は、平均的なユーザにとって、予測、又は直ちに認識することは困難であり得るので、所望の雰囲気を達成するために最適なパラメータ組を作成することは時間がかかり得るものであり、多くの場合、歯がゆい作業であり得る。大半の場合、より好ましい照明効果を達成するためにパラメータ組を修正する、首尾良く行われなかった数多くの試みの後、平均的なユーザは、予めプログラムされた組からの、又は「十分良い」と認められた、カスタム・デザインされたいくつかの組からの選択に戻るに過ぎない。
【発明の開示】
【発明が解決しようとする課題】
【０００９】
本発明の目的は、所望の雰囲気を達成するためのその能力を向上し続けようとする、照明システムなどの、雰囲気に影響を及ぼす自己学習システムを提供することである。本発明の更なる目的は、ユーザに対して多大な負担を課さない、雰囲気に影響を及ぼす自己学習システムを提供することである。
【課題を解決するための手段】
【００１０】
前述及びその他の目的は、軽微な変更を特定のパラメータ組にもたらし、その変更に対するユーザの反応を収集するシステム及び方法によって達成される。ユーザの反応に基づいて、システムは、どのパラメータに対するどの変更が効果の向上につながるかを学習する。変更・フィードバックのセッションを繰り返すことによって、システムは、特定の環境において所望の雰囲気を達成するうえで最適な設定に達する。好ましくは、変更・フィードバック・セッションは気にならず、例えば、ライトがオンにされる都度、行われ、フィードバックはライトがオフにされると、複数スイッチ装置を用いて収集される。１つのスイッチを用いてライトがオフにされた場合、フィードバックは正である。別のスイッチを用いてライトがオフにされた場合、フィードバックは負である。あるいは、システムは、変更・フィードバックのサイクルがより頻繁に生じる高速学習モードに入れることが可能である。
【発明を実施するための最良の形態】
【００１１】
本発明は更に詳細に、かつ、例として、添付図面を参照して説明する。添付図面を通して、同じ参照符号は同じ構成要素、又は実質的に同じ機能を行う構成要素を表す。添付図面は、例証の目的で含めており、本発明の範囲の限定を意図するものでない。
【００１２】
本発明は、所望の雰囲気を環境に与える照明システムのパラダイムを用いて提示する。しかし、本開示に鑑みて、当業者は、本発明が照明システムに限定されないことを認識するであろう。前述の通り、雰囲気は他の刺激（芳香、音、温度等など）によって影響を受け得る。本明細書及び特許請求の範囲記載の反復的な調節・フィードバック訓練を、例えば、本開示の例示的な照明システムに加えて、ホーム・オーディオ・システム、冷暖房システム等に最適な設定を求めるために、用いることができる。
【実施例】
【００１３】
図１は、照明パラメータ組を含むよう構成されたメモリ１１０と、前述の照明パラメータに基づいて１つ又は複数のライト１３０を制御するよう構成されたコントローラ１２０とを備える照明システムの例示的なブロック図を示す。
【００１４】
本発明によれば、コントローラ１２０は、メモリ１１０から読み出される照明パラメータの１つ又は複数に対して変更をもたらすよう構成された修正モジュール１２２と、結果として生じる照明パラメータに基づいてライト１３０を制御する制御モジュール１２４とを含む。
【００１５】
照明されている環境におけるユーザ１４０は、コントローラ１２０の入力ポート１２６にフィードバックを供給し、このフィードバックに基づいて、学習モジュール１２８は照明パラメータ１１０又は修正モジュール１２２を、フィードバックが正であった場合、同じ方向に沿った更なる改善を奨励するよう、又は、フィードバックが負であった場合、その方向に沿った更なる修正を妨げるよう修正する。
【００１６】
「方向」の語は本明細書及び特許請求の範囲では汎用的な意味合いで用いている。当該技術分野において一般的な手法を用いて、パラメータ組は多次元空間における点として定義することが可能であり、方向は、この多次元空間に対して相対的である。他のモデル及び手法を用いてパラメータ組、及び前述の組に対する変更を表すことができる。例えば、方向が、ネットワークのノードにおける重み付け関数における変動に対するものであるニューラル・ネットワーク学習モデルを用いることができる。正のフィードバックは、ネットワークにおける特定の重み付け関数を増減させて、将来において同様な変更をもたらす／奨励する一方、負のフィードバックは、ノードにおける重みの別の増減組をもたらして、将来における前述の変更を避ける／妨げる。
【００１７】
図１の構成部分の機能は、図２のフロー図の例によって最もよく例証される。図２の具体的なフローは例証を容易にするために示しており、本発明の趣旨又は範囲の限定を意図するものでなく、図１のモジュールの機能又は相互作用に対する限定の示唆を意図するものでない。
【００１８】
２１０では、所望の雰囲気がコントローラ１２０によって選択され、２２０で、対応する照明パラメータがメモリ１１０から取り出される。
【００１９】
好ましくは、メモリ１１０における各照明パラメータ組は、特定の「雰囲気」又は「所望の効果」に対応する。通常、いくつかの所定のパラメータ組（例えば、「読書」、「TVの視聴」、「恋愛」、「パーティー」やその他の一般的な効果を含む）がシステムのメーカによって供給される。あるいは、又は更に、システムは、照明システムのユーザの制御を監視することによって他のパラメータ組を学習するよう構成することができる。通常の手法（クラスタリングなど）を用いて、システムの反復ユーザ制御に基づいて、通常用いられるパラメータ組を規定し、区別することが可能である。同様に、通常の機械学習手法を用いて、システムは、別々のパラメータ組を、特定の日時、別々の曜日、別々の気象状態、別々の季節等に関連付けることが可能である。同様に、システムは他のセンサに結合することが可能であり、別々のパラメータ組を、前述のセンサからの入力と関連付けることができる。例えば、周囲光量、照明されている環境において行われている活動、影響を受ける領域を占めている人の数、周囲温度等が、特定の雰囲気を達成するためのパラメータ組の選択に影響を及ぼし得る。任意的には、ユーザは所望の雰囲気を直接選ぶことができる。
【００２０】
２３０で、修正モジュール１２２は、選択された組のパラメータの１つ又は複数を修正し、制御モジュール１２４は、修正されたパラメータ組に基づいてライト１３０を調節する。特定のライト１３０、及びパラメータの形式に応じて、制御モジュール１２４は、パラメータをライト１３０に直接伝達することができるか、若しくは、制御モジュール１２４は、ライトに伝達される制御信号にパラメータを変換するよう構成することができる（又は、制御モジュール１２４は、個々のパラメータに応じて、両方の組み合わせを行うよう構成することができる）。前述の変換は、その他のパラメータ（周囲光の量及び／又はカラー・コンテンツなど）、及びその他の外部要因を用いることも含むことができる。
【００２１】
好ましくは、コントローラ１２０は、後述する「高速学習」モードにおいて特に起動される場合以外には、気にならずに修正をもたらす。種々の手法のうちの何れかを用いて、実質的に気にならない変更をもたらすことが可能である。例えば、ライトをオンにするようシステムが起動される都度、選択されたパラメータに対するわずかな変更をもたらすことが可能である。ユーザが変更に気づいた場合、ユーザは、例えば、コントローラ１２０に結合された装置上の「賛成」ボタン又は「反対」ボタンを用いてフィードバックを直ちに与えることが可能である。あるいは、ユーザは、評価を、例えば+／−Nの尺度（0は「意見なし」である）から入力することが可能であり、+又は−の評価の大きさNは、変更によるユーザの満足／不満の度合いを示す。
【００２２】
大半の場合、変更はわずかであり、ユーザ１４０によって意識的に気づかれない。前述の場合、コントローラ１２０は、より目立たずにユーザ・フィードバックを得るよう構成される。一実施例では、コントローラ１２０は、持続時間に基づいて、例えば、特定の期間内に変更に対する不満をユーザが明示的に示さなかった場合、フィードバックが正であるという前提を用いて、フィードバックを推定するよう構成することができる（参照を容易にするために、「正」の語は「ゼロ」、又は「何れの好みもない」を含む。別の実施例では、コントローラ１２０の入力ポート１２６に結合された制御装置は、現在の雰囲気を終結させるための２つのスイッチを含む。ユーザが、ライトをオフにする準備ができたか、又は新たな雰囲気に切り換える準備ができた場合、ユーザはオフ・ボタンの一方を選択して正のフィードバックを通知し、他方のオフ・ボタンを選択して負のフィードバックを通知する。更なるスイッチを設けてユーザのフィードバックの大きさを示すことができる。
【００２３】
気にならないモードでは、修正が好ましくはわずかであるので、雰囲気毎に最適なパラメータ組に多くの修正・フィードバック・サイクルが達することが必要になり、サイクルタイムは比較的長い。しかし、前述のサイクルは気にならないので、特定の環境における所望の雰囲気にパラメータをシステムが最適化するために要し得る週又は月は、ユーザに重要でない。
【００２４】
本発明の好ましい実施例では、修正器モジュール１２２は、特定の雰囲気に対して受け取られたフィードバックの量と大きさが反比例して変動する修正を与えるよう構成される。すなわち、例えば、特定の雰囲気がまず選択されると、修正は、学習モジュール１２８に初期サーチ方向又は初期粗調節を与えるよう意識的に分かり得る。フィードバック標本が得られるにつれ、モジュール１２８は、最適値に収斂する可能性が高く、変更は、設定の微調整のためにわざと、より小さい。収斂のないことを検出する通常の手法を施すことが可能であり、通常の解決策を施してこの問題を補正することが可能である。例えば、モジュール１２８が発振している（複数の局所最適解であることを示すことが多い）ように思われる場合、選択された雰囲気を２つの独立した雰囲気に分割し、分割された雰囲気それぞれを局所最適化することが可能である。その後、２１０で、分割された雰囲気それぞれに対する他のパラメータ（日時や周囲光など）との相関を求めて、前述の雰囲気間での適切な選択を容易にすることが可能である。本開示に鑑みて当該技術分野の当業者に明らかになるように、他の機械学習手法を施して、本発明の修正・フィードバック局面を用いて雰囲気毎に最適なパラメータ組のサーチを容易にすることが可能である。
【００２５】
「高速学習」モードでは、コントローラ１２０は、より速い修正・フィードバック・サイクルを備えるよう構成される。例示的な高速学習の実施例では、コントローラ１２０は、常にユーザのフィードバックを求めてサンプリングし、ユーザのフィードバックを受け取った都度と、短持続時間（1/2分等など）後とのうち、何れか先に生起する時点でループ２３０乃至２５０（又は２３０乃至２９０）を実行する。別の実施例では、コントローラ１２０及び修正モジュール１２２は、２つの別々のパラメータ組をライト１３０に短期間に供給し、２つのうちのどれが好ましいかについてのユーザからのフォードバックを受け取るよう構成される。システムを顕在的に訓練するその他の手法は、本開示に鑑みて当該技術分野における当業者に明らかになるであろう。例えば、ユーザには、３つ以上の別々のパラメータ組（これらから選ぶものとするか、又はこれらを評価尺度上で評価するものとする）が与えられ得る。同様に、システムは、ゆっくりであるが連続的な変更をもたらすようパラメータを調節するよう構成することができる。ユーザは各変更に対する限度を通知し、それによって、更なる最適化のための一定の範囲のパラメータが供給される。
【００２６】
本発明の単純な実施例では、学習モジュール１２８は、単に、改良されたパラメータのサーチの方向を制御するよう構成することができ、図２の２６０乃至２７０で、色好いフィードバックが受け取られた場合に、修正パラメータによって、雰囲気に対して格納されたパラメータを置き換えるに過ぎない。負のフォードバックが受け取られた場合（２６０）、学習モジュール１２８は修正モジュール１２２を制御してサーチの方向を変更する。
【００２７】
本発明の好ましい実施例では、学習モジュール１２８は、多変数刺激に対する最適な反応をサーチするよう構成された機械学習プロセスを含む。これは通常、所望の雰囲気に関連した多くの照明パラメータであり、学習モジュール１２８は好ましくは、雰囲気毎の最適パラメータ組に対するそのサーチを最適化するよう構成される。この最適化されたサーチを達成するために、パラメータ組におけるパラメータそれぞれには、その組内の他のパラメータに対して当該パラメータが呈する重要度に基づいて重み又は優先度を割り当てることができる。例えば、全体の明るさ／輝度は、雰囲気の大半において最も重要なパラメータである可能性が高いが、一部の雰囲気は色又は色飽和度によってより直接的に影響を受け得る。本発明の一実施例では、コントローラは１２０は、メモリ１１０における各パラメータ・フィールドの重み／優先度によって予めプログラムされる。別の実施例では、コントローラ１２０は、現在の雰囲気に最も重要なパラメータ・フィールドについての最新の「知恵」を選択されたソースから得るよう構成されたインターネット・アクセス装置を含む。
【００２８】
最適化プロセスの複雑度を削減するために、学習モジュール１２８は、特定のパラメータを独立可変パラメータとして扱い、他のパラメータを関連パラメータとして扱うよう構成することができる。例えば、全体の明るさ又は輝度は一般に、独立パラメータとしてア扱い得る一方、色合い及び飽和度は好ましくは、関連パラメータとして扱う。独立変数は一般に、厳密に順次に調節される一方、関連変数は一般に、互いに組み合わせて調節されるか、又は交互に個々に調節される。変数が関連している場合、通常、複数の個々のフィードバック反応を処理して反応間の相関を、格納されたパラメータに学習モジュール１２８が変更を施す前に、多変量解析及び機械学習の技術分野において一般的な手法を用いて求める。本発明の好ましい実施例では、変数間の相互関係を動的に調節することができる。例えば、全体の明るさ又は輝度を当初、独立変数として扱って、好ましい設定にすばやく達し、次いで、関連変数として扱って、他のパラメータに対するこのパラメータの微調整を達成する。
【００２９】
本発明の前述の説明には、単一ユーザのパラダイムを用いている。当業者は、発明の原理を種々のシナリオに適用することが可能であることを認識するであろう。
【００３０】
ホテルの部屋、オフィス・ビル、会議室等などの商業環境では、複数のユーザからのフィードバックを用いて、最適な照明設定を求めることができる。例えば、ホテルの部屋は、訪問客が部屋に入る際に、毎回わずかな変更をもたらし、入る際に訪問客が照明を調節するか否かを記録して、「歓迎の」雰囲気をもたらすよう構成することができる。種々の歓迎の雰囲気を、日時、曜日、現在の気象状態等に応じてもたらすことが可能である。同様に、「お断りの」サービスを提供した後に種々の雰囲気をもたらし、最適な設定を新たに入る際の訪問客の反応に基づいて求めるよう反復的に調節することが可能である。前述のシナリオでは、学習システムは、複数の環境それぞれから（同様なホテル部屋それぞれからなど）フィードバックを直接受け取るよう構成することができるか、又は、個々の学習システムを各環境において備えることができ、監視システムを用いて、好ましい雰囲気を、個々のシステムにおいて得られる雰囲気の合成に基づいて策定することができる。
【００３１】
同様に、雰囲気は、ビジネス・ミーティングの結果に影響を及ぼし得る。オランダのクアハウス・ホテルは例えば、特定のミーティング目的に良い環境をもたらすよう会議室の照明及び芳香を調節する「リザルト・ルーム（Result  Room）」を提供している。例えば、交渉のミーティングが予定されている場合、部屋の色は青に設定され、カモミール、ラベンダー及びセージの芳香のミックスを部屋じゅうに拡散させる。意思決定のミーティングが予定されている場合、部屋の色は赤に設定され、レモン、ローズマリー及びセダーの芳香のミックスが提供される。アイデアを形成するミーティングが予定されている場合、部屋の色は黄色に設定され、ベルガモット、オレンジ及びローズウッドの芳香のミックスが提供される。色及び芳香の他の組み合わせ（ユーザによって定義される照明及び芳香の効果を含む）も利用可能である。前述の環境における本発明の実施例は、照明及び／芳香へのわずかな調節を行う工程、並びに、ミーティング・コーディネータ（又は出席者それぞれ）を調査して、ミーティングがその目的を達成したかを判定する工程を含む。すなわち、フィードバックは、照明及び／又は芳香をユーザが色良く受け止めたか否かに直接対応しなくてよく、むしろ、所望の結果を雰囲気がもたらしたか否かに対応すればよい。このようにして、特定の結果を達成するための照明及び芳香の通常の選択を、気にならずに検査し、微調整することが可能であり、新たな組み合わせを発見することができる。
【００３２】
以上、本発明の原理を例証したに過ぎない、よって、本明細書及び特許請求の範囲に明示的に説明していないか又は示していないが、本発明の原理を実施し、よって、その趣旨及び範囲内に収まる種々の装置を当業者が考え出すことができることが認識されよう。例えば、本発明は、特定の場所のパラメータを修正するスタンドアロン型システムによって提示しているが、本発明の手法を用いて、照明制御システムの元の設計者に、又は第３者のサービス提供者にフィードバックを与えて、所定の雰囲気の、改良された照明及び芳香パラメータ組の作成を容易にすることが可能であることを当業者は認識するであろう。すなわち、例えば、判定されたパラメータの組又は変更の組を元の設計者及び／若しくは第３者の提供者に伝達し、その他の最適化されたパラメータ組を本発明のその他のユーザから、又は、最適化された組の合成を設計者及び／若しくは第３者提供者から受け取るようシステムを構成することが可能である。他の修正・フィードバック体験の結果の提供者にユーザ制御システムを結合することによって、ユーザ制御システムの最適化は、特に訓練期間の初期ラウンドにおいて、加速化を期待することが可能である。前述並びにその他のシステム構成及び最適化の特徴は、本開示に鑑みて当業者に明らかとなるものであり、特許請求の範囲記載の範囲内に含まれている。
【００３３】
特許請求の範囲を解釈するうえでは、
a)「comprising」の語は、特定の請求項記載の構成要素又は工程以外の他の構成要素又は工程が存在することを排除するものでない。
【００３４】
b)構成要素に先行する「a」又は「an」の語は、前述の構成要素が複数存在することを排除するものでない。
【００３５】
c)請求項内の参照符号はその範囲を限定するものでない。
【００３６】
d)いくつかの「means」は、同じ品目又はハードウェア若しくはソフトウェアによって実現された構造若しくは機能によって表すことができる。
【００３７】
e)本願開示の構成要素それぞれは、ハードウェア部分（例えば、ディスクリート電子回路及び集積電子回路）、ソフトウェア部分（例えば、コンピュータ・プログラミング）、及びそれらの何れかの組み合わせを含み得る。
【００３８】
f)ハードウェア部分は、アナログ部分及びディジタル部分の一方又は両方を含み得る。
【００３９】
g)別途明記しない限り、本願開示の装置又はその一部分の何れかを互いに組み合わせるか、又は更なる部分に分けることができる。
【００４０】
h)別途明記しない限り、特定の工程系列を必要とすることを意図していない。
【００４１】
i)「複数の」構成要素の語は、請求項記載の構成要素を２つ以上含み、特定の範囲の構成要素数を示唆するものでない。すなわち、複数の構成要素の数は、２つに過ぎない場合もある。
【図面の簡単な説明】
【００４２】
【図１】本発明による照明システムの例示的なブロック図である。
【図２】本発明による照明システムの例示的なブロック図である。
【図１】
2008535202.tif 000003
【図２】
2008535202.tif 000004
【国際調査報告】
2008535202.tif 000005
2008535202.tif 000006